(57)【要約】【課題】  階段下への雨水落下を防止する。水受部材の設置作業を簡略化する。【解決手段】  水受部材４が、ササラ桁２の傾斜方向Ａに複数に分割される。水受部材４はササラ桁２の外側方Ｃを覆う左右一対の側板部４Ａと、段板３の下方を覆う底板部４Ｂとからなる。底板部４Ｂの傾斜上流Ａ１側に、水受部材４の内方に向かって且つ先端部にいく程水平方向Ｄに対して下り傾斜状となるように折り曲げられた上折板部５を設け、底板部４Ｂの傾斜下流Ａ２側に上折板部５と略平行に且つ同一方向に折り曲げられて上折板部５に係止されるフック部７を備えた下折板部６を設ける。上段側の水受部材４の下折板部６と下段側の水受部材４の上折板部５とを重ね合わせてフック部７にて係止することで各水受部材４を相互に連結する。各水受部材４内に雨水が下折板部６と上折板部５とを乗越えて流下する排水路８を形成する。【選択図】      図１
2007009653.tif 000002
【特許請求の範囲】
【請求項１】
傾斜した状態で取り付けられる左右一対のササラ桁の間に複数の段板が所定間隔で取り付けられた階段本体と、段板よりも下方位置でササラ桁の略全長に亘って傾斜状態で設置される水受部材とを備え、階段本体から垂れ落ちる雨水を水受部材で受けて排水処理するようにした階段において、上記水受部材は、ササラ桁の傾斜方向に複数に分割されていると共に、各水受部材は左右一対のササラ桁の外側方をそれぞれ覆う左右一対の側板部と、左右一対の側板部の下端部間に架け渡されて段板の下方を覆う底板部とからなり、底板部の傾斜上流側に、水受部材の内方に向かって且つ先端部にいく程水平方向に対して下り傾斜状となるように折り曲げられた上折板部が設けられ、底板部の傾斜下流側に上折板部と略平行に且つ同一方向に折り曲げられて上折板部に係止されるフック部を備えた下折板部が設けられ、隣接する上段側の水受部材の下折板部と下段側の水受部材の上折板部とを重ね合わせてフック部にて係止することで各水受部材が相互に連結されると共に、各水受部材内に雨水が下折板部と上折板部とを乗越えて流下する排水路が形成されていることを特徴とする階段。
【発明の詳細な説明】
【技術分野】
【０００１】
本発明は、主として建築物の屋外に設置される階段に関するものである。
【背景技術】
【０００２】
従来から、屋外階段の下の外観を良くするために、屋外床の屋外側端部と軒天井の軒先との間をカバーで覆った構造が知られている（例えば、特許文献１参照）。
【０００３】
ところで、例えばアパートの外階段のように屋外に設置される階段では、踏面に溜まる雨水を踏面の両側に設けた溝や水勾配により流下させて排水しているのが一般的である。
【０００４】
しかしながら、段板の踏面の両側に排水用の溝を形成した場合でも、少し激しい雨が降ると、踏面の中央にも雨水の流れができてしまい、踏面自体が雨水の排水路となってしまい、滑べり易くなり、雨天時の歩行の安全性を確保できないものであった。また歩行した際に踏面上の雨水によって靴等の履物が濡れてしまったり、跳ね上がった雨水でズボンの裾も濡れ易くなるという不具合もあった。
【０００５】
そこで、本発明者らは、本発明に至る過程で、階段の段板３から垂れ落ちる雨水を受けて排水処理するための水受部材４’を考えた。この水受部材４’は、図５のように、段板３の傾斜方向Ａに複数に分割されていると共に、各水受部材４’の傾斜下流に位置する下折板部６’を斜め下方に折り曲げ、この下折板部６’の上に下段の水受部材４’の上端縁４ａを載置することで、雨水を水受部材４’内に沿って流下させるようにした。
【０００６】
ところが上記の水受部材４’の連結構成では、上段の水受部材４’内の雨水が、図５の矢印Ａ方向だけでなく、図５の矢印Ｂのように上段の水受部材４’の下折板部６’と下段の水受部材４’の上端縁４ａとの隙間から漏れ出る可能性がある。また、上下の水受部材４’相互をビス、ボルト等を用いて連結する必要があり、現場作業が困難になるなどの問題もある。
【特許文献１】特開平２−２７２１２１号公報
【発明の開示】
【発明が解決しようとする課題】
【０００７】
本発明は上記の従来の問題点に鑑みて発明したものであって、降雨時に階段の下方のスペースに雨水が落下することを防止できると共に、階段下のスペースの有効利用を促進でき、しかも、施工現場での水受部材の設置作業を大幅に簡略化でき、さらに、水受部材同士の連結が容易であり、そのうえ屋外階段の排水処理を簡単な構造でしかも確実に行なうことができ、雨天時における歩行の安全性等を十分に向上させることができる階段を提供することを課題とするものである。
【課題を解決するための手段】
【０００８】
前記課題を解決するために本発明にあっては、傾斜した状態で取り付けられる左右一対のササラ桁２の間に複数の段板３が所定間隔で取り付けられた階段本体１と、段板３よりも下方位置でササラ桁２の略全長に亘って傾斜状態で設置される水受部材４とを備え、階段本体１から垂れ落ちる雨水を水受部材４で受けて排水処理するようにした階段において、上記水受部材４は、ササラ桁２の傾斜方向Ａに複数に分割されていると共に、各水受部材４は左右一対のササラ桁２の外側方Ｃをそれぞれ覆う左右一対の側板部４Ａと、左右一対の側板部４Ａの下端部間に架け渡されて段板３の下方を覆う底板部４Ｂとからなり、底板部４Ｂの傾斜上流Ａ１側に、水受部材４の内方に向かって且つ先端部にいく程水平方向Ｄに対して下り傾斜状となるように折り曲げられた上折板部５が設けられ、底板部４Ｂの傾斜下流Ａ２側に上折板部５と略平行に且つ同一方向に折り曲げられて上折板部５に係止されるフック部７を備えた下折板部６が設けられ、隣接する上段側の水受部材４の下折板部６と下段側の水受部材４の上折板部５とを重ね合わせてフック部７にて係止することで各水受部材４が相互に連結されると共に、各水受部材４内に雨水が下折板部６と上折板部５とを乗越えて流下する排水路８が形成されていることを特徴としている。
【０００９】
このような構成とすることで、降雨時に建物外部の階段の下方のスペースに雨水が落下することを水受部材４にて防止できると共に、水受部材４からの排水が容易となり、しかも、従来はデッドスペースとなっていた階段下のスペースの有効利用を促進することができる。また、水受部材４をササラ桁２の傾斜方向Ａに複数分割しているので、施工現場での設置作業を大幅に簡略化できる。さらに水受部材４同士の連結手段として、上折板部５と下折板部６とをフック部７にて係止することで、水受部材４を連結するにあたってネジ、ボルト等の固着具を必要としないため、施工が一層はかどる。また、水受部材４同士を連結するための上折板部５と下折板部６は、いずれも、先端部にいく程、水平方向Ｄに対して下り傾斜状に折り曲げられているため、排水路８の途中に上折板部５と下折板部６とが突出していても、雨水は上折板部５と下折板部６とを容易に乗越えて排水路８内をスムーズに流下できるようになる。
【発明の効果】
【００１０】
本発明に係る階段にあっては、降雨時に建物外部の階段の下方のスペースに雨水が落下することを水受部材にて防止しながら、水受部材からの排水が容易となる。また、従来はデッドスペースとなっていた階段下のスペースの有効利用を促進することができる。さらに、水受部材をササラ桁の傾斜方向に複数分割したので、施工現場での設置作業を大幅に簡略化でき、熟練作業者でなくとも誤りなく、短時間で能率よく施工することができる。さらに、水受部材同士の連結手段として、上折板部と下折板部とをフック部にて係止することで、水受部材を連結するにあたってネジ、ボルト等の固着具を必要としないため、施工が一層はかどり、工期の短縮化、低コスト化を一層図ることができると共に、水受部材同士を連結するための上折板部と下折板部は、いずれも、先端部にいく程、水平方向に対して下り傾斜状に折り曲げられているため、雨水は上折板部と下折板部とを容易に乗越えて排水路内をスムーズに流下できるようになり、そのうえ底板部の左右両端部は左右一対の側板部の下端部に連なっているので、水受部材の排水処理量が多量となり、従って、勢い良く雨水が降った場合も水受部材による排水機能が十分に発揮される結果、屋外階段の排水処理を簡単な構造でしかも確実に行なうことができ、雨天時における階段の歩行の安全性を十分に向上させることができる。
【発明を実施するための最良の形態】
【００１１】
以下、本発明を添付図面に示す実施形態に基いて説明する。
【００１２】
本実施形態の階段本体１は、図２に示すように、傾斜した状態で取り付けられる左右一対のササラ桁２（階段の側桁）の間に複数の段板３が所定間隔で取り付けられている。なお、段板３は、踏み板３ａと蹴込み板３ｂとからなる。左右一対のササラ桁２は例えば断面コ字状の型材からなり、その傾斜上端が図１に示すように、踊り場５２側の支柱５１に固定され、傾斜下端が基礎コンクリート５０側の支柱５４に固定されている。図１中の１０は欄干、１１は手すりである。
【００１３】
上記水受部材４は、図１に示すように、段板３よりも下方位置でササラ桁２の略全長に亘って傾斜状態で設置されて、段板３から垂れ落ちる雨水を受けて排水処理する働きをする。なお水受部材４の材質は特に問わず、木製、合成樹脂製、金属製など、いずれでもよい。
【００１４】
本例の水受部材４は、ササラ桁２の傾斜方向Ａに複数に分割されている。各水受部材４は同じ構造をしており、図２（ａ）に示すように、左右のササラ桁２の外側方Ｃをそれぞれ覆う左右一対の側板部４Ａ，４Ａと、側板部４Ａ，４Ａの下端部間に連なって段板３の下方を覆う扁平筐形状の底板部４Ｂとを備えている。側板部４Ａの上端部には、ササラ桁２の上端面に支持される上部支持片１２が設けられ、側板部４Ａの下端部には、ササラ桁２の下端面よりも下方に配置される逆Ｌ形の取付片１３が設けられている。一方、図２（ａ）（ｂ）、図３に示すように、底板部４Ｂの左右両端部には、それぞれ、左右一対の立ち上がり片１５が立設されると共に、各立ち上がり片１５の上端から外側方Ｃに向けて鍔片１４が折り返され、この鍔片１４を上記側板部４Ａの取付片１３の下面に重ね合わせて、下方からビス等で止着することで、左右一対の側板部４Ａと底板部４Ｂとが固着一体化されるようになっている。このビス等による側板部４Ａと底板部４Ｂとの止着作業は、工場で予め行なう場合或いは現場で行なう場合のいずれでもよい。
【００１５】
さらに図３に示すように、底板部４Ｂの傾斜上流Ａ１側には上折板部５が折曲され、底板部４Ｂの傾斜下流Ａ２側には下折板部６が折曲されている。図４は施工状態の水受部材４を示している。水受部材４の上折板部５は、水受部材４の内方に向かって且つ先端部にいく程水平方向Ｄに対して下り傾斜状となるように、底板部４Ｂに対して鋭角θ（例えば、約３０°）に折り曲げられている。一方、下折板部６は、上折板部５と略平行に且つ同一方向に折り曲げられている。また、上折板部５（下折板部６も同様）の上端の高さＨは、側板部４Ａの上端とほぼ同じ高さとされ、雨水が上折板部５及び下折板部６を図４の矢印ａ方向に容易に乗越えるようにしている。さらに下折板部６の先端からはコ字状に折り返されたフック部７が延設されており、隣接する上段側の水受部材４の上折板部５の下面に下段側の水受部材４の下折板部６を重ねるようにして、フック部７を下折板部６の下面に引っ掛けて係止することで、各水受部材４が相互に連結されるようになっている。なおフック部７は、下折板部６側ではなく、上折板部５側に設けられてもよい。
【００１６】
なお図３、図４中の１６は水受部材４の剛性を高めるための山形状補強金物１６である。この山形状補強金物１６は排水路８内に配置されると共に、上折板部５（下折板部６も同様）と同じ角度で且つ同じ方向に傾斜した山形状をしており、雨水は図４の矢印ａ’方向に山形状補強金物１６を乗越えて流下できるようになっている。つまり、各水受部材４の内側には、雨水が上折板部５と下折板部６とを乗越えて流下する排水路８が形成されている。なお、最上段の水受部材４の上折板部５は、例えば踊り場の階段裏軒天に面して配置されており、最下段の水受部材４の側板部４Ａには、階段の基礎コンクリート５０付近で開口する水抜き孔１７（図１）が設けられている。
【００１７】
しかして、段板３の下方に水受部材４を取り付けた状態では、左右一対のササラ桁２の外側方Ｃが水受部材４の側板部４Ａにてそれぞれ閉塞され、各段板３の下方が水受部材４の底板部４Ｂにてそれぞれ閉塞される。これにより、降雨時に水受部材４内の排水路８を雨水が流下できるようになるので、建物外部の階段の下方のスペースに雨水が落下することを水受部材４にて防止できるようになり、結果、雨天時における階段の歩行の安全性を十分に向上させることができると共に、歩行した際に踏面上の雨水によって靴等の履物が濡れてしまったり、跳ね上がった雨水でズボンの裾も濡れ易くなるという不具合もなくなり、そのうえ従来はデッドスペースとなっていた階段下のスペースの有効利用を促進することができる。
【００１８】
しかも、水受部材４同士を連結するための上折板部５と下折板部６は、いずれも、先端部にいく程、水平方向Ｄに対して下り傾斜状に折り曲げられているため、排水路８の途中に上折板部５と下折板部６とが突出していても、雨水は上折板部５と下折板部６とを容易に乗越えて排水路８内をスムーズに流下できるようになる。つまり、すべての水受部材４の内側に雨水が溜まることなく、下り傾斜した上折板部５と下折板部６を乗越えて、最下段の水受部材４まで流下でき、最終的に水抜き孔１７（図１）から地面に残らず排水されるようになる。
【００１９】
そのうえ底板部４Ｂの左右両端部は左右一対の側板部４Ａの下端部に連なっているので、水受部材４の排水処理量が多量となり、段板３のみならずササラ桁２から垂れる雨水も受けることができ、これにより、勢い良く雨水が降った場合も水受部材４による排水機能が十分に発揮される結果、屋外階段の排水処理を簡単な構造でしかも確実に行なえるものとなる。なお、上折板部５と下折板部６とにそれぞれ排水用開口部を設け、雨水を該排水用開口部から流下させることも可能である。
【００２０】
さらに、水受部材４をササラ桁２の傾斜方向Ａに複数分割しているので、工場から現場への運搬が容易となり、しかも施工現場での設置作業を大幅に簡略化でき、熟練作業者でなくとも誤りなく短時間で能率よく施工することができる。そのうえ水受部材４同士の連結手段として、上折板部５と下折板部６との引っ掛け係止方式を採用しているので、水受部材４を連結するにあたってネジ、ボルト等の固着具を必要としないため、施工が一層はかどり、工期の短縮化、低コスト化を一層図ることができる。
【００２１】
また本例では、ビスによる側板部４Ａと底板部４Ｂとの止着部分（取付片１３、鍔片１４）が底板部４Ｂの左右両端の立ち上がり片１５によって底板部４Ａの下面よりも上方に突出しているため、止着部分に雨水が溜まりにくく、従って、ビス等で止着した場合でも、錆が発生しにくいなど、雨仕舞が良好になる利点もある。
【００２２】
なお前記実施形態では水受部材４を板金製品としたが、例えば屋外階段の装飾性を高めて美観を向上させることができる合成樹脂製品で構成してもよい。
【００２３】
本発明の水受部材４を備えた階段は、アパート等の低層建築物の外階段に限らず、陸橋などの屋外階段にも好適に実施可能である。
【図面の簡単な説明】
【００２４】
【図１】本発明の一実施形態の水受部材を備えた階段の側面図である。
【図２】（ａ）は同上の水受部材の正面図、（ｂ）は底板部の斜視図である。
【図３】同上の底板部の側面図である。
【図４】同上の底板部の連結状態を説明する側面図である。
【図５】本発明の参考図である。
【符号の説明】
【００２５】
１  階段本体
２  ササラ桁
３  段板
４  水受部材
４Ａ  側板部
４Ｂ  底板部
５  上折板部
６  下折板部
７  フック部
８  排水路
Ａ  ササラ桁の傾斜方向
Ａ１  傾斜上流
Ａ２  傾斜下流
Ｃササラ桁の外側方
Ｄ水平方向
【図１】
2007009653.tif 000003
【図２】
2007009653.tif 000004
【図３】
2007009653.tif 000005
【図４】
2007009653.tif 000006
【図５】
2007009653.tif 000007